(57)【要約】【課題】本発明は、密閉空間の一部を開放しないで防音可能とすることが出来、また簡単に折畳んで持ち運びでき、さらに簡単に組み立てることが出来る消音換気を有するダクト装置を提供することを目的とする。【解決手段】本発明によるダクト装置は、所定の厚みを有し、板状に形成された合成樹脂発泡板を基材としてブロック構成部材を形成し、該ブロック構成部材を略筒状に組み立ててダクトブロックを構成すると共に、前記ダクトブロックを複数個組み合わせ自在にして各種態様のダクト装置を形成可能としたことを特徴とする。【選択図】  図１
2018204900.tif 000002
【特許請求の範囲】
【請求項１】
所定の厚みを有し、板状に形成された合成樹脂発泡板を基材としてブロック構成部材を形成し、
該ブロック構成部材を略筒状に組み立ててダクトブロックを構成すると共に、前記ダクトブロックを複数個組み合わせ自在にして各種態様のダクト装置を形成可能とした、
ことを特徴とするダクト装置。
【請求項２】
前記ダクトブロックは、折り曲げ可能な連結シート材により複数枚のブロック構成部材が連結されて筒状に組み立てられて形成されてなり、
前記組み立てられたダクトブロックは、前記連結シート材での連結箇所で折り畳めて持ち運び可能とされてなる、
ことを特徴とする請求項１記載のダクト装置。
【請求項３】
前記ダクトブロックは、作業者単独で持ち運び可能な重量とされてなる、
ことを特徴とする請求項１または請求項２記載のダクト装置。
【請求項４】
前記ダクトブロックは、該ダクトブロック断面の縦横の寸法が略同一寸法となる様構成されて略正方形の角筒状に形成され、
前記ダクトブロックに設けられる排気口、給気口の向きや設置方向を縦、横それぞれに向きを変え、設置方向を変えて形成できる、
ことを特徴とする請求項１、請求項２または請求項３記載のダクト装置。
【発明の詳細な説明】
【技術分野】
【０００１】
本発明は、工事現場、スポーツ施設、工場施設、イベント会場、高速道路施設、事務所等に防音の目的で設置される密閉空間に用いられる換気設備に係り、特に簡単に折り畳んでの持ち運びと組みバラシが出来、密閉空間で発生する騒音に関し高い消音性能を有する折り畳み組立式で消音換気性能を有するダクト装置に関するものである。
【０００２】
尚、ここで言う密閉空間とは、例えば、改修・改装工事などにみられるように、当該作業実施期間を防音パネルやシート或いは隔壁を用いて音源や排ガス発生の内燃機関等を囲い、騒音や粉塵、排ガス等発生する環境負荷を第三者や隣接作業者に対して軽減させることを目的に設置する空間をいう。
【背景技術】
【０００３】
必要期間（常設ではなく、中・短期間の設置）のみ構築される密閉空間では、当該密閉空間内の騒音に対しては、密閉空間内で作業者自身が耳栓等の防具利用により対応していた。しかし、密閉空間内で作業の為に必要とされる空気供給や発生する排ガス、排熱等の排除に対しては、隣接あるいは近接して通過する第三者への環境負荷を軽減する為の有効な手段がなく、密閉構造を構成している部材に最小限の開口を設けて換気せざるを得ないのが現状であった。
そして、騒音・排気等はいわゆる垂れ流し状態となり、近接通行者や近隣の第三者からの苦情により、状況によっては作業の中止・中断を余儀なくされていた。
【０００４】
日常的に供用されているダクトは、工場等の常設を対象としたもので、主に鋼製等の構造材の内面に吸音材としてグラスウールやウレタン等を使用している。これらは、質量が大きい為に人力での取り扱いが簡単ではなく、仮設等非常設の密閉空間での対応には、不向きであった。
【先行技術文献】
【特許文献】
【０００５】
【特許文献１】特開平１１−２８７３６２号公報
【発明の概要】
【発明が解決しようとする課題】
【０００６】
ここで、上記のような密閉空間の構築にあたっては、騒音が発生する作業や機器等の周辺を隙間なく塞ぐことが効果的であるが、対象となる騒音源が排気ガス・排熱発生等に見られるような音以外の環境的高負荷の発生を伴う場合や当該騒音源の利用に資するために大量の給気を必要とする場合、密閉している構成部材の一部を開放せざるを得ず、防音効果を大幅に低減させていた。
【０００７】
かくして、本発明は前記従来の課題を解決するために創案されたものであり、上述した背景が有する課題に鑑みなされたものであって、密閉空間の一部を開放しないで防音可能とすることが出来、また簡単に折畳んで持ち運びでき、さらに簡単に組み立てることが出来る消音換気を有するダクト装置を提供することを目的とするものである。
【課題を解決するための手段】
【０００８】
本発明によるダクト装置は、
所定の厚みを有し、板状に形成された合成樹脂発泡板を基材としてブロック構成部材を形成し、
該ブロック構成部材を略筒状に組み立ててダクトブロックを構成すると共に、前記ダクトブロックを複数個組み合わせ自在にして各種態様のダクト装置を形成可能とした、
ことを特徴とし、
または、
前記ダクトブロックは、折り曲げ可能な連結シート材により複数枚のブロック構成部材が連結されて筒状に組み立てられて形成されてなり、
前記組み立てられたダクトブロックは、前記連結シート材での連結箇所で折り畳めて持ち運び可能とされてなる、
ことを特徴とし、
または、
前記ダクトブロックは、作業者単独で持ち運び可能な重量とされてなる、
ことを特徴とし、
または、
前記ダクトブロックは、該ダクトブロック断面の縦横の寸法が略同一寸法となる様構成されて略正方形の角筒状に形成され、
前記ダクトブロックに設けられる排気口、給気口の向きや設置方向を縦、横それぞれに向きを変え、設置方向を変えて形成できる、
ことを特徴とするものである。
【発明の効果】
【０００９】
本発明であれば、騒音が発生する作業や機器等の周辺を隙間なく塞ぐことが効果的であるが、対象となる騒音源が排気ガス・排熱発生等に見られるような音以外の環境的高負荷の発生を伴う場合や当該騒音源の利用に資するために大量の給気を必要とする場合、密閉している構成部材の一部を開放せざるを得ず、もってこの開放が防音効果を大幅に低減させていたとの背景に鑑み、密閉空間の一部を開放しないで防音可能とすることが出来、また簡単に折畳んで持ち運びでき、さらには簡単に組み立てることが出来る消音換気を有するダクト装置を提供できるとの優れた効果を奏する。
【図面の簡単な説明】
【００１０】
【図１】本発明によるダクト装置の構成説明図及び空気の流れを示す図（１）である。
【図２】本発明によるダクト装置の構成説明図及び空気の流れを示す図（２）である。
【図３】本発明によるダクト装置の構成説明図及び空気の流れを示す図（３）である。
【図４】本発明によるダクト装置の構成説明図及び空気の流れを示す図（４）である。
【図５】本発明によるダクト装置の構成説明図及び空気の流れを示す図（５）である。
【図６】本発明によるダクト装置の構成説明図及び空気の流れを示す図（６）である。
【図７】組み立てられたダクトブロックの構成を説明する構成説明図（１）である。
【図８】組み立てられたダクトブロックの構成を説明する構成説明図（２）である。
【図９】図７に示すダクトブロックを平面展開した説明図である。
【図１０】図８に示すダクトブロックを平面展開した説明図である。
【図１１】平面展開したダクトブロックを折り畳む説明図（１）である。
【図１２】平面展開したダクトブロックを折り畳む説明図（２）である。
【図１３】平面展開したダクトブロックを折り畳む説明図（３）であり、折畳んだダクトブロックを持ち運び易くすべくバンドで締結した状態を示す。
【発明を実施するための形態】
【００１１】
以下、本発明を図に示す実施例に基づいて説明する。
【００１２】
図１乃至図６から理解されるように、本発明によるダクト装置１は、複数個のダクトブロック５を組み合わせることにより構成される。
この複数個のダクトブロック５の組み合わせは多種多様であり、少なくとも図１乃至図６の組み合わせが考えられる。しかしこれは一例であり、このほかに様々な使用態様がある。
【００１３】
ここで、まずダクトブロック５の構成につき説明する（図７、図８参照）。ダクトブロック５は、複数枚の板状をなすブロック構成部材７によって構成され、これらブロック構成部材７を筒状に組み立てて構成される。
板状のブロック構成部材７は、所定の厚みを有して板状、主として方形状の板状をなして形成されている（図９、図１０参照）。
【００１４】
図７に示すダクトブロック５については、図９から理解されるように、略長方形状をなす第１ブロック構成部材７―１、この第１ブロック構成部材７−１の幅方向両側に接続された第２ブロック構成部材７−２及び第３ブロック構成部材７−３を有している。前記の接続については厚みが薄いシート状の連結シート材６によって行われ、該接続部分で折り曲げ可能となっている。
【００１５】
前記第１ブロック構成部材７−１の長手方向一端側には第４ブロック構成部材７−４が前記連結シート材６を介して折り曲げ可能に接続され、また、第３ブロック構成部材７−３において、第１ブロック構成部材７−１と接続されている側面と反対側の側面には、第５ブロック構成部材７−５が前記連結シート材６を介して折り曲げ可能に接続されている。そして、この図９に示す第１ブロック構成部材７−１乃至第５ブロック構成部材７−５を組み立てると図７に示す形状のダクトブロック５となる。そして、図７において、その底部と正面側上部に開口部８が形成されるものとなる。
【００１６】
図１０には第１ブロック構成部材７−１の長さが、図９に示すブロック構成部材７の２分の１の長さに形成したブロック構成部材７であり、これを組み立てると、図８に示す形状のダクトブロック５となり、図８において、その底部と正面側上部とやはり開口部８が形成されるものとなる。
【００１７】
ここで、ブロック構成部材７の構成につき説明する。
該ブロック構成部材７は所定の厚みを有し、内部に多数の孔を有する合成樹脂発泡板を基材として使用している。合成樹脂発泡板は重量が軽く、吸音性に優れている。
【００１８】
そして、その合成樹脂発泡板の片面側は多孔シート２で覆われ、前記合成樹脂発泡板の内部部分が吸音部として機能するよう構成され、他面側は遮音シート３で覆われて、外側部分は遮音部として構成されている。よって、このブロック構成部材７はいわゆる吸遮音パネルとして機能するものとなる。
【００１９】
そして、本発明の吸遮音パネルにより構成されるダクト装置１は、基材として使用する合成樹脂発泡板自体が補強部材の役割をはたし、別部材の補強枠材が不要であるため、この点からも軽量化が実現できる。
また、軽量化が図れているため、持ち運びが容易となり、設置・移動等の施工性に優れたものとなる。
さらに、合成樹脂発泡板に緩衝性があるため、近接する歩行者の保護材としての効果もある。
【００２０】
そして、工場内機械設備、建設機械、建設現場や特に仮設による短期間の使用、スポット的な使用や部分的な主音源を囲む密閉空間に対する換気機能を提供するものとなる。
【００２１】
前述の様に、ダクト装置１は、いわゆる最小限と考えられる形状単位に分割された複数のブロック構成部材７を組み立て積み重ね或いは接続することにより構成される。
【００２２】
例えば、筒状のダクトブロック５を形成すべく複数枚の前記構成からなるブロック構成部材７を有し、ダクトブロック５は、前記の吸遮音パネルとなるブロック構成部材７を平面展開が出来ように、ブロック構成部材７とブロック構成部材７との隣り合う端面を折り曲げ可能なシート状の連結シート材６で繋げ、この連結シート材６部分を折り曲げ、もって、複数枚のブロック構成部材７を重ね合わせ、また折り畳むことが出来るもとなっている（図１１乃至図１３参照）。
【００２３】
そして、折り畳んだ複数枚のブロック構成部材７、すなわちダクトブロック５の構成部材は、サイズが小さくなって、かつ軽量の為、作業者１名でも持ち運び可能出来るものとなっている（図１３参照）。
【００２４】
この様に、ダクトブロック５を構成する各々のブロック構成部材７は、平面展開出来るものとされ、この平面展開された各ブロック構成部材７について、前記連結シート材６でつなげられた箇所で折り曲げられ、これを組み立てれば、内側は吸音面、外側は遮音面として構成される筒状をなすダクトブロック５を簡単な作業で形成できる。
【００２５】
ここで、ダクトブロック５を通る音は、ダクトブロック５内で略正面に設けられる衝突面に衝突しても遮音されており、衝突した音は、ダクトブロック５内の内側面部、すなわち音が通過する通過側面で吸音される。この様に、音が、ダクトブロック５内を通過する際の屈曲繰り返し、音の反射作用及び通過する距離減衰等の組み合わせにより、減音・消音されるのである。
尚、本発明のダクト装置１は、通常、例えば、４個のダクトブロック５により組み立てられている。
【００２６】
そして、ダクト装置１として組み立てられるダクトブロック５は、その角筒状をなすダクトブロック５の断面の縦横の寸法が略同一寸法となる様構成されているため、ダクトブロック５は、正方形の角筒形状に構成される。そのため、排気口・給気口の向きや設置方向につき、縦、横それぞれに向きを変え、設置方向を変えられて自由度を大きく有して構成することが出来るものとなっている。
【００２７】
よって、複数のダクトブロック５を縦或いは横など使い勝手に合わせて設置位置を変えることが出来、これによりダクトブロック５自在に組み合わせて利用できるものとなる。
【００２８】
ここで、一例を挙げると、ダクト装置１を構成する４つのダクトブロック５は、この４つのダクトブロック５をすべて使用してダクト装置１を構成することが重要となる。
【００２９】
すなわち、ダクト装置１全体の消音性能を担保するために必要な遮音面・屈折数・減衰距離・吸音材質量を有し、これらの性能を充分に確保するためには、少なくとも前記４つのダクトブロック５のすべてを使用することが必要不可欠なのである。
【００３０】
尚、例外として、ダクト装置１内、すなわち隔壁内の対象音源エネルギーが小さく消音性能を落としても良い場合は、ダクトブロック５の使用数量を４枚から減ずることは可能である。
【００３１】
本発明の使用方法につき図を参考にして説明する。
【００３２】
図１に示すダクト装置１は、図７に示すダクトブロック５を２つ、図８に示すダクトブロックを２つ使用した構成例である。最下部に図７のダクトブロック５を横に寝かせた状態で設置し、その上に図８に示す小さい形状のダクトブロック５を２つ並べて設置し、その上に図７に示すダクトブロック５を設置したものである。この様に組み立てると、下の開口部から入った音は図１（ｂ）に示すように経路を通ってダクト装置１内を通過し、通過する際には側面で吸音され、略直角に曲がる箇所においても遮音が行われて音漏れせず、充分に吸音、遮音されて上の開口部から送出されるものとなる。そして、このダクト装置１は前述した密閉空間の吸気口と排気口に設置することも可能なので、その場合は、より適切な消音機能が得られることになる。
【００３３】
図２ではダクトブロック５を縦方向に重ねあわせて設置したもので、前記の吸気口及び排気口近傍エリアが狭い箇所のときに適している。
図３は、高い箇所に排気口を設置したいときの設置例である。
図４に示す例は、あまり高さ方向に向けて設置は出来ないときで、横方向には設置箇所が広げられるときに適用される。
図５についても高さ方向に向けて設置できない場合、なるべく低い位置に設置して、ダクト装置１を使用したいときに適用されるものであるである。
【００３４】
最後に図６では、図７に示すダクトブロックを２つ、図８に示すダクトブロック２つのほかに、もう１つ、略角筒直管状をなす直管ダクトブロック９を使用した例である。
図６では密閉空間での騒音程度が高く、図７に示すダクトブロック２つ、図８に示すダクトブロック２つの４つの構成では、消音しきれないときに使用されるものである。
【００３５】
この様に、ダクトブロック４つでは十分に吸音、遮音効果を達成できないと考えられたときには、ダクトブロック５の数を増加して組み立てることも可能である。
なお、ダクトの密閉空間への設置は、該密閉空間の外側箇所でも内側箇所でも可能である。
【００３６】
また、ダクト装置１を構成する４つのダクトブロック５を２つずつに分割し、その分割した２つで構成されるダクトブロック５を両側にそれぞれ接続して設置しても、４つすべてを一気に接続して使用した場合と同様な効果を得ることが出来る。
【００３７】
しかして、ダクトブロック５の平面展開形状及び組み立てた時の形状は、必要とされるダクト装置１の形状に組み立てることが出来、しかも現場まで折畳んで運搬でき、現場でスムーズに組み立てられる方式であることが好ましいのである。
【００３８】
そして、利用者が必要とする設置環境により当該４つのダクトブロック５に追加して、直管ダクトブロック９を含む追加ダクトを使用することもできることすでに述べたとおりである。
しかして、本発明によるダクト装置１の吸音性能はＡＰ２１ｄｂ以上であることが確認されたことを付記しておく。
【符号の説明】
【００３９】
１        ダクト装置
２        多孔シート
３        遮音シート
５        ダクトブロック
６        連結シート材
７        ブロック構成部材
７−１    第１ブロック構成部材
７−２    第２ブロック構成部材
７−３    第３ブロック構成部材
７−４    第４ブロック構成部材
７−５    第５ブロック構成部材
８        開口部
９        直管ダクトブロック
【図１】
2018204900.tif 000003
【図２】
2018204900.tif 000004
【図３】
2018204900.tif 000005
【図４】
2018204900.tif 000006
【図５】
2018204900.tif 000007
【図６】
2018204900.tif 000008
【図７】
2018204900.tif 000009
【図８】
2018204900.tif 000010
【図９】
2018204900.tif 000011
【図１０】
2018204900.tif 000012
【図１１】
2018204900.tif 000013
【図１２】
2018204900.tif 000014
【図１３】
2018204900.tif 000015